(57)【要約】【課題】多数の刷版を用いる印刷機において、刷版の誤装着を確実に発見可能とし、印刷版胴に対する刷版の装着位置確認作業の軽減を可能にする。【解決手段】印刷版胴は複数の刷版装着位置を有し、前記複数の刷版装着位置のうち、どの刷版装着位置にどの刷版を装着するのかを前記刷版のページ番号で指定するページ割付番号設定情報を識別制御部３０に入力する工程と、各刷版装着位置に装着済みの刷版を用いて印刷された紙面の通過経路にカメラ１０を設置しておき、カメラ１０によって紙面のページ番号を読み取って識別制御部３０に出力するページ番号読み取り工程と、識別制御部３０において、各刷版装着位置について前記ページ割付番号設定情報で指定されたページ番号と、カメラ１０で読み取った前記紙面のページ番号とを比較して、刷版装着の正誤を判定する比較・判定工程とを備えている。【選択図】図１
2008093929.tif 000002
【特許請求の範囲】
【請求項１】
印刷版胴に刷版を装着して印刷を行う印刷機での刷版装着位置識別方法であって、
前記印刷版胴は複数の刷版装着位置を有し、前記複数の刷版装着位置のうち、どの刷版装着位置にどの刷版を装着するのかを前記刷版のページ番号で指定するページ割付番号設定情報を識別制御部に入力する工程と、
各刷版装着位置に装着済みの刷版を用いて印刷された紙面の通過経路にカメラを設置しておき、前記カメラによって前記紙面のページ番号を読み取って前記識別制御部に出力するページ番号読み取り工程と、
前記識別制御部において、各刷版装着位置について前記ページ割付番号設定情報で指定されたページ番号と、前記カメラで読み取った前記紙面のページ番号とを比較して、刷版装着の正誤を判定する比較・判定工程とを備えることを特徴とする刷版装着位置識別方法。
【請求項２】
複数の印刷版胴にそれぞれ刷版を装着して印刷を行う印刷機での刷版装着位置識別方法であって、
前記印刷版胴は複数の刷版装着位置を有し、前記複数の印刷版胴における前記複数の刷版装着位置のうち、どの印刷版胴の刷版装着位置にどの刷版を装着するのかを前記刷版のページ番号で指定するページ割付番号設定情報を識別制御部に入力する工程と、
各印刷版胴における各刷版装着位置に装着済みの刷版を用いて印刷された紙面の通過経路にカメラを設置しておき、前記カメラによって前記紙面のページ番号を読み取って前記識別制御部に出力するページ番号読み取り工程と、
前記識別制御部において、各印刷版胴における各刷版装着位置について前記ページ割付番号設定情報で指定されたページ番号と、前記カメラで読み取ったページ番号とを比較して、刷版装着の正誤を判定する比較・判定工程とを備えることを特徴とする刷版装着位置識別方法。
【請求項３】
各刷版装着位置に装着済みの刷版によって印刷された紙面のページ番号を、前記印刷機の運転開始後におけるクローリング速度期間中に読み取ることを特徴とする請求項１又は２記載の刷版装着位置識別方法。
【請求項４】
前記印刷版胴又はこれと連動する軸の回転角度位置を角度検出手段により検出して、前記紙面のページ番号が前記カメラに対面したときの瞬時画像を前記カメラで読み取ることを特徴とする請求項１，２又は３記載の刷版装着位置識別方法。
【請求項５】
印刷後の前記紙面の位置を近接スイッチ、光スイッチ等の検出手段で検出して、前記紙面のページ番号が前記カメラに対面したときの瞬時画像を前記カメラで読み取ることを特徴とする請求項１，２又は３記載の刷版装着位置識別方法。
【請求項６】
前記ページ割付番号設定情報と共に印刷物種別情報が前記識別制御部に入力され、前記カメラの視野において前記紙面のページ番号を読み込む領域を、前記印刷物種別情報に応じて変更することを特徴とする請求項１，２，３，４又は５記載の刷版装着位置識別方法。
【請求項７】
印刷版胴に刷版を装着して印刷を行う印刷機での刷版装着位置識別装置であって、
前記印刷版胴は複数の刷版装着位置を有し、前記複数の刷版装着位置のうち、どの刷版装着位置にどの刷版を装着するのかを前記刷版のページ番号で指定するページ割付番号設定情報を受けて、前記印刷版胴の複数の刷版装着位置に装着すべき刷版のページ番号を表示手段で表示する機能と、比較・判定機能とを有する識別制御部と、
各刷版装着位置に装着済みの刷版を用いて印刷された紙面の通過経路に設置されていて、前記紙面のページ番号を読み取って前記識別制御部に出力するカメラとを備え、
前記識別制御部において、各刷版装着位置について前記ページ割付番号設定情報で指定されたページ番号と、前記カメラで読み取ったページ番号とを比較して、刷版装着の正誤を判定して、正誤信号を出力することを特徴とする刷版装着位置識別装置。
【請求項８】
複数の印刷版胴にそれぞれ刷版を装着して印刷を行う印刷機での刷版装着位置識別装置であって、
前記印刷版胴は複数の刷版装着位置を有し、前記複数の印刷版胴における前記複数の刷版装着位置のうち、どの印刷版胴の刷版装着位置にどの刷版を装着するのかを前記刷版のページ番号で指定するページ割付番号設定情報を受けて、各印刷版胴の複数の刷版装着位置に装着すべき刷版のページ番号を表示する機能と、比較・判定機能とを有する識別制御部と、
各印刷版胴における各刷版装着位置に装着済みの刷版を用いて印刷された紙面の通過経路に設置されていて、前記紙面のページ番号を読み取って前記識別制御部に出力するカメラとを備え、
前記識別制御部において、各刷版装着位置について前記ページ割付番号設定情報で指定されたページ番号と、前記カメラで読み取ったページ番号とを比較して、刷版装着の正誤を判定して、正誤信号を出力することを特徴とする刷版装着位置識別装置。
【発明の詳細な説明】
【技術分野】
【０００１】
本発明は、印刷版胴に刷版を装着して印刷を行う印刷機、とくにカラー化及び多ページ化に伴い多数の刷版を用いる新聞輪転機等において、印刷版胴に対する刷版の装着位置確認作業の軽減を可能にするための刷版装着位置識別方法及び装置に関する。
【背景技術】
【０００２】
印刷版胴に刷版を装着して印刷を行う印刷機の代表的な例として、新聞輪転機があり、その概略構成（両面カラー印刷を行うための４色機用印刷ユニット）を図６に示す。図６の印刷ユニットは刷版が装着される印刷版胴１とこれに接して印刷版胴１の反対向きに回転するブランケット胴２とを黄色、紅色、藍色及び黒色についてそれぞれ一対有し、さらに印刷版胴１にインキを付着させるインキ着けローラー３、印刷版胴１に水を付着させる水着けローラー４がそれぞれ設けられている。また、詳細は省略するがインキ循環装置５のインキをインキ着けローラー３に供給するための各種ローラーがそれぞれ設けられている。そして、印刷版胴１に巻き付け装着された刷版の印刷内容がブランケット胴２を介して紙６に転写されるオフセット印刷機構となっている。
【０００３】
前記刷版は、高純度のアルミニウム板にあらかじめ感光性物質が塗布されたＰＳ刷版（Pre-Sensitized Plate）を用い、印刷内容を露光、現像、ガム引きして作製する。印刷版胴１には前記刷版が通常複数装着される。つまり、印刷版胴１は複数の刷版装着位置を有している。また、図６は新聞輪転機の１つの印刷ユニットであり、通常の新聞輪転機はこの印刷ユニットを多数組み合わせた構成となっている。とくに、最近の印刷物の多ページ、カラー化等により新聞輪転機１構成当たりの刷版取り付け枚数が増加し（カラーの場合、一印刷面当たり、黄、紅、藍、黒の４種類のＰＳ刷版が必要）、誤装着による印刷ミスが多発している。例えば、新聞輪転機４８ページ、フルカラーの場合、最大１９２枚の装着であるが、焼付済ＰＳ刷版の判読は難しく、取り付けミスを誘発する。現在は刷版装着位置情報を製版オペレーターが刷版裏面に手書きして、印刷オペレーターに伝達しているが上記取り付けミスを無くすことは困難な状況である。
【０００４】
なお、上記刷版の装着位置を確認する方法として、下記の特許文献１に提案されている方法がある。
【０００５】
【特許文献１】特開２００２−１２７３７４号公報
【０００６】
この特許文献１の場合、印刷版胴に装着された刷版を識別するためのバーコードを刷版外周面に付して、そのバーコードを刷版外周に対向するバーコード・リーダーで読み取っている。このため、バーコードを誤って付けた場合（例えば、ページ番号１の刷版であるのに、ページ番号２の刷版であることを表示するバーコードを誤って付けたとき）には、誤装着を引き起こす可能性がある。また、バーコードは新聞輪転機の正規運転前には消失していなければならない。
【発明の開示】
【発明が解決しようとする課題】
【０００７】
本発明は、上記の点に鑑み、多数の刷版を用いる印刷機において、刷版の誤装着を確実に発見可能とし、印刷版胴に対する刷版の装着位置確認作業の軽減が可能な刷版装着位置識別方法及び装置を提供することを目的とする。
【０００８】
本発明のその他の目的や新規な特徴は後述の実施の形態において明らかにする。
【課題を解決するための手段】
【０００９】
上記目的を達成するために、本発明のある態様は、印刷版胴に刷版を装着して印刷を行う印刷機での刷版装着位置識別方法であって、
前記印刷版胴は複数の刷版装着位置を有し、前記複数の刷版装着位置のうち、どの刷版装着位置にどの刷版を装着するのかを前記刷版のページ番号で指定するページ割付番号設定情報を識別制御部に入力する工程と、
各刷版装着位置に装着済みの刷版を用いて印刷された紙面の通過経路にカメラを設置しておき、前記カメラによって前記紙面のページ番号を読み取って前記識別制御部に出力するページ番号読み取り工程と、
前記識別制御部において、各刷版装着位置について前記ページ割付番号設定情報で指定されたページ番号と、前記カメラで読み取った前記紙面のページ番号とを比較して、刷版装着の正誤を判定する比較・判定工程とを備えることを特徴としている。
【００１０】
また、本発明のもう一つの態様は、複数の印刷版胴にそれぞれ刷版を装着して印刷を行う印刷機での刷版装着位置識別方法であって、
前記印刷版胴は複数の刷版装着位置を有し、前記複数の印刷版胴における前記複数の刷版装着位置のうち、どの印刷版胴の刷版装着位置にどの刷版を装着するのかを前記刷版のページ番号で指定するページ割付番号設定情報を識別制御部に入力する工程と、
各印刷版胴における各刷版装着位置に装着済みの刷版を用いて印刷された紙面の通過経路にカメラを設置しておき、前記カメラによって前記紙面のページ番号を読み取って前記識別制御部に出力するページ番号読み取り工程と、
前記識別制御部において、各印刷版胴における各刷版装着位置について前記ページ割付番号設定情報で指定されたページ番号と、前記カメラで読み取ったページ番号とを比較して、刷版装着の正誤を判定する比較・判定工程とを備えることを特徴としている。
【００１１】
前記刷版装着位置識別方法において、各刷版装着位置に装着済みの刷版によって印刷された紙面のページ番号を、前記印刷機の運転開始後におけるクローリング速度期間中に読み取るようにしてもよい。
【００１２】
前記刷版装着位置識別方法において、前記印刷版胴又はこれと連動する軸の回転角度位置を角度検出手段により検出して、前記紙面のページ番号が前記カメラに対面したときの瞬時画像を前記カメラで読み取るようにしてもよい。あるいは、印刷後の前記紙面の位置を近接スイッチ、光スイッチ等の検出手段で検出して、前記紙面のページ番号が前記カメラに対面したときの瞬時画像を前記カメラで読み取るようにしてもよい。
【００１３】
前記刷版装着位置識別方法において、前記ページ割付番号設定情報と共に印刷物種別情報が前記識別制御部に入力され、前記カメラの視野において前記紙面のページ番号を読み込む領域を、前記印刷物種別情報に応じて変更するようにしてもよい。
【００１４】
さらに、本発明のもう一つの態様は、印刷版胴に刷版を装着して印刷を行う印刷機での刷版装着位置識別装置であって、
前記印刷版胴は複数の刷版装着位置を有し、前記複数の刷版装着位置のうち、どの刷版装着位置にどの刷版を装着するのかを前記刷版のページ番号で指定するページ割付番号設定情報を受けて、前記印刷版胴の複数の刷版装着位置に装着すべき刷版のページ番号を表示手段で表示する機能と、比較・判定機能とを有する識別制御部と、
各刷版装着位置に装着済みの刷版を用いて印刷された紙面の通過経路に設置されていて、前記紙面のページ番号を読み取って前記識別制御部に出力するカメラとを備え、
前記識別制御部において、各刷版装着位置について前記ページ割付番号設定情報で指定されたページ番号と、前記カメラで読み取ったページ番号とを比較して、刷版装着の正誤を判定して、正誤信号を出力することを特徴としている。
【００１５】
本発明のもう一つの態様は、複数の印刷版胴にそれぞれ刷版を装着して印刷を行う印刷機での刷版装着位置識別装置であって、
前記印刷版胴は複数の刷版装着位置を有し、前記複数の印刷版胴における前記複数の刷版装着位置のうち、どの印刷版胴の刷版装着位置にどの刷版を装着するのかを前記刷版のページ番号で指定するページ割付番号設定情報を受けて、各印刷版胴の複数の刷版装着位置に装着すべき刷版のページ番号を表示する機能と、比較・判定機能とを有する識別制御部と、
各印刷版胴における各刷版装着位置に装着済みの刷版を用いて印刷された紙面の通過経路に設置されていて、前記紙面のページ番号を読み取って前記識別制御部に出力するカメラとを備え、
前記識別制御部において、各刷版装着位置について前記ページ割付番号設定情報で指定されたページ番号と、前記カメラで読み取ったページ番号とを比較して、刷版装着の正誤を判定して、正誤信号を出力することを特徴としている。
【発明の効果】
【００１６】
本発明によれば、印刷版胴の刷版装着位置に装着後の刷版で実際に印刷された紙面のページ番号を、カメラで読み取り、そのページ番号と、前記刷版装着位置についてページ割付番号設定情報で指定されたページ番号とを比較して、刷版装着の正誤を判定するので、刷版の誤装着を確実に発見可能であり、ひいては印刷版胴に対する刷版の装着位置確認作業の軽減が可能である。
【発明を実施するための最良の形態】
【００１７】
以下、本発明を実施するための最良の形態として、刷版装着位置識別方法及び装置の実施の形態を図面に従って説明する。
【００１８】
図１のように、刷版装着位置識別装置は、新聞輪転機で印刷された紙面である各新聞ページを撮像するページ番号読取カメラ１０と、カメラ１０の撮像画像を画像処理して各新聞ページのページ番号を抽出する画像処理部２０と、前記画像処理部２０で抽出されたページ番号が入力される識別制御部３０とを備えている。
【００１９】
また、前記識別制御部３０には、総合印刷指示情報や輪転機胴入信号が入力される。前記総合印刷指示情報は、新聞種別を示す情報に加えて、前記新聞輪転機が備える複数の印刷版胴における複数の刷版装着位置のうち、どの印刷版胴の刷版装着位置にどの刷版を装着するのかを前記刷版のページ番号で指定するページ割付番号設定情報等を含んでいる。前記輪転機胴入信号は、図６のように、ブランケット胴２が正規の位置となって紙６に対して印刷を開始させる信号である。但し、胴入信号直後は新聞輪転機は低速のクローリング速度で運転する。
【００２０】
また、前記識別制御部３０には、グラフィック・オペレーション・パネル４０、画像モニター５０、バーコード・リーダー５１、印刷版胴附近の刷版割付ページ番号表示器６０、エンコーダ７０が接続されている。
【００２１】
図２はページ番号読取カメラによる各新聞ページのページ番号読み取り動作を説明するものであり、図３のように印刷版胴１が４つの刷版装着位置を有し、従って４枚の刷版８（図示の例では左から８−１，８−２，８−３，８−４）が装着されている場合、１つの印刷版胴で印刷された紙面１５はその幅方向に４つのページが並行配置されることになる。図示の例では、新聞ページのページ番号１、ページ番号１６、ページ番号１１、ページ番号６の順で横に並んでいる。
【００２２】
カメラ１０−１では刷版８−１に基づき紙面１５に印刷されたページ番号１を読み取り、カメラ１０−２では刷版８−２に基づくページ番号１６を読み取り、カメラ１０−３では刷版８−３に基づくページ番号１１を読み取り、カメラ１０−４では刷版８−４に基づくページ番号６を読み取る動作を行う。これらのカメラは、ページ番号の読み取りを確実に行えるように、印刷後の紙６をガイドするガイドロールの近傍に配置されている。
【００２３】
基本的には、カメラは１つの印刷版胴に対して４台（１ページ１台）であり、例えば４０ページであれば、４０台用いる。但し、光学系を工夫することで、２ページ１台とする構成も可能である。
【００２４】
紙面１５のページ番号の読み取りタイミングは、新聞輪転機の運転開始後（輪転機胴入信号オンの後）におけるクローリング速度（紙面が１秒間に約１ｍ走行）期間中に読み取る。また、カメラ１０−１〜１０−４でページ番号を読み取るためには、紙面のページ番号がカメラに対面するタイミングでカメラのシャッターを作動させる必要があるが、図３の印刷版胴１（又はこれと連動する軸）の回転角度位置を、角度検出手段としての前記エンコーダ７０により検出し、識別制御部３０を介してカメラのシャッター動作を制御することによって、紙面１５のページ番号がカメラに対面したときの瞬時画像を前記カメラで読み取ることを可能にしている。
【００２５】
カメラ１０の撮像画像信号を画像処理して各新聞ページのページ番号を抽出する画像処理部２０は、画像モニター５０（例えばパーソナルコンピュータＰＣの画面）上において、カメラ１０の撮像画像（視野）のうち読み込み範囲を指定する読み込み位置窓枠設定・記憶機能を有する。窓枠内側が紙面上のページ番号の読み込み領域となる。これは、新聞種別により紙面上のページ番号位置が異なることに対応する為であり、ページ番号（通常紙面の左側上端部に位置する）が取り込めるように新聞種別により窓枠位置を移動し、記憶する。ページ番号は英数字あるいは指定した記号の場合もある。ページ番号が含まれない窓枠以外の領域は画像処理にてブロッキングする。
【００２６】
そして、画像処理部２０は読み込み位置窓枠内の画像情報（ページ番号を含む情報）を読み込み、演算処理してページ番号を抽出し、アスキーコード（デジタルコードの一種）、バイナリーコード等のデジタルコードに変換して前記識別制御部３０に出力する。
【００２７】
図３は新聞輪転機における刷版割付ページ番号表示器６０の配置を示す。刷版割付ページ番号表示器６０は刷版装着のガイドのために、印刷版胴１の近傍に設置されている。例えば、印刷版胴１を支持した左右のフレーム６５にそれぞれ表示器６０が取り付けられており、印刷版胴１の４つの刷版装着位置のうち、左側の表示器６０は左から１番目及び２番目の刷版装着位置に装着すべき刷版のページ番号を表示する。右側の表示器６０は右から１番目及び２番目の刷版装着位置に装着すべき刷版のページ番号を表示する。同時に当該ページ番号の紙面がカラー面の場合、何色｛例えばシアン（Ｃ）、マゼンタ（Ｍ）、イエロー（Ｙ）｝用の刷版であるかを色分け表示する。
【００２８】
この刷版割付ページ番号表示器６０は各印刷版胴１の全ての刷版装着位置を表示可能なように、各印刷版胴１の近傍位置にそれぞれ配置される。
【００２９】
図４は、グラフィック・オペレーション・パネル４０の刷版ページ割付画面を示す。この刷版ページ割付画面は、識別制御部３０に入力された前記総合印刷指示情報に基づいて作成される。つまり、前記総合印刷指示情報に含まれる新聞種別や、ページ割付番号設定情報（複数の印刷版胴における複数の刷版装着位置のうち、どの印刷版胴の刷版装着位置にどの刷版を装着するのかを刷版のページ番号で指定するもの）によって作成可能である。
【００３０】
図４中、１Ｐ〜５Ｐは新聞輪転機が有する印刷ユニット（例えば図６の構造を持つ）を示し、この例では折り機の前段の印刷ユニット４Ｐと後段の印刷ユニット５Ｐを使用している。各印刷ユニットは紙面の表を印刷するための印刷版胴と、紙面の裏を印刷するための印刷版胴とを有し、各印刷版胴は４つの刷版装着位置（方形枠で表示）を有する。印刷版胴の４つの刷版装着位置を示す方形枠内の数字は装着すべき刷版のページ番号である。
【００３１】
このグラフィック・オペレーション・パネル４０の刷版ページ割付画面が作成されると同時に刷版割付ページ番号表示器６０が識別制御部３０によって作動され、各印刷版胴１の４つの刷版装着位置に装着すべき刷版のページ番号を表示する。
【００３２】
版装着オペレーターは、前記刷版ページ割付画面及び図３の刷版割付ページ番号表示器６０の表示により、所定の印刷版胴の所定の刷版装着位置に指定されたページ番号の刷版を装着する。例えば、製版機及び版曲げ機より排出された刷版の、くわえ部分に印刷されているバーコードをバーコード・リーダー５１で読み取ることにより、新聞種別及びページ番号を読み取って、当該刷版を指定された刷版装着位置に取り付ける。なお、バーコード印刷が無い場合、バーコード・リーダー５１は不要である。
【００３３】
前記グラフィック・オペレーション・パネル４０は、後述する誤装着の刷版が存在する場合、誤装着の刷版のページ番号を色変化表示（例えば、正は緑色、誤は赤色）で表示する機能と、警報を発生する機能とを有する。
【００３４】
なお、印刷版胴１の回転角度位置を角度検出手段としてのエンコーダ７０で検出する代わりに、印刷後の紙６の位置を検出する紙位置検出手段としての近接スイッチ９０（又は光電管等の光スイッチも使用できる）を例えば図２のように配置して、紙面１５のページ番号がカメラ１０に対面したときの瞬時画像を前記カメラで読み取る構成も可能である。
【００３５】
図５の動作フローチャートで実施の形態の全体的な動作説明を行う。
【００３６】
ステップ＃１では、識別制御部３０に対してページ割付番号設定情報を入力する。ステップ＃１を実行するとともに、ステップ＃２でページ番号読取カメラからの画像信号を受ける画像処理部２０にて前記カメラのページ番号読み取り位置設定（図２の窓枠位置の設定）を行い、ステップ＃３で同位置を記憶する。これは、新聞種別によりページ番号位置が異なることに対応する為であり、ページ番号が取り込めるように新聞種別によりページ番号読み取り位置を移動し、記憶する。また、画像処理部２０は新聞種別毎に一度記憶したページ番号読み取り位置は選択指定して再利用可能とする選択指定機能を有する。
【００３７】
上記ステップ＃１〜＃３の終了後、ステップ＃４で識別制御部３０が新聞輪転機の輪転機胴入（輪転機胴入信号オンにて印刷転写開始）、検紙信号オンを検出したら、紙面が１秒間に約１ｍ走行する低速のクローリング速度（検紙速度）期間中に、エンコーダ７０の印刷版胴１（又はこれと連動する軸）の回転角度検出結果（又は近接スイッチ９０による紙位置検出結果）から各ページ番号読取カメラ１０のシャッターの開くタイミングを制御し、ステップ＃５にて各カメラにより印刷紙面のページ番号を読み込む（ページ番号の撮像された瞬時画像を取り込む）。
【００３８】
ステップ＃６において、画像処理部２０では、カメラ１０のページ番号を抽出してアスキーコード、バイナリーコード等のデジタルコードに変換して識別制御部３０に出力する。
【００３９】
ステップ＃７では、識別制御部３０において、カメラ１０で読み取った紙面上のページ番号のデジタルコードと、ページ割付番号設定情報のページ番号（アスキーコード、バイナリーコード等のデジタルコードに変換）との比較を、各刷版装着位置の刷版について行う。例えば、図３の印刷版胴１の左から１番目の刷版装着位置には、ページ割付番号設定情報によればページ番号１の刷版８−１が装着されるべきであり、正しく装着されていれば、ページ番号１の刷版で実際に印刷された紙面上にページ番号１が印字されていることになり、カメラ１０で読み取った紙面上のページ番号は１となり、ページ割付番号設定情報のページ番号と一致する。
【００４０】
カメラ１０で読み取った紙面上のページ番号と、ページ割付番号設定情報のページ番号とが一致（正）か、不一致（誤）かを判定後、ステップ＃８にて識別制御部３０は正誤信号を外部に出力する。その正誤信号を受けるグラフィック・オペレーション・パネル４０は、誤装着の刷版が存在する場合、刷版ページ割付画面における誤装着の刷版のページ番号を色変化表示（例えば、正は緑色、誤は赤色）で表示するとともに、警報を発生してオペレーターに知らせる。
【００４１】
全ての刷版の装着が正しく行われ、新聞輪転機の正規の運転が開始された後、ステップ＃９では次の新聞ページの印刷に備えて刷版装着位置識別装置をリセットする。
【００４２】
この実施の形態によれば、次の通りの効果を得ることができる。
【００４３】
(1)  印刷版胴１の刷版装着位置に装着後の刷版８で実際に印刷された紙面１５のページ番号を、カメラ１０で読み取り、そのページ番号と、前記刷版装着位置についてページ割付番号設定情報で指定されたページ番号とを比較して、刷版装着の正誤を判定するので、刷版８の誤装着を確実に発見可能であり、ひいては印刷版胴１に対する刷版８の装着位置確認作業の軽減が可能である。
【００４４】
(2)  刷版自体をカメラで撮像する従来方法では、刷版のカメラで撮像可能な位置にバーコード等の識別符号を付する必要があるが、刷版を装着して印刷後の紙面１５のページ番号をカメラ１０で撮像する本実施の形態では、その必要がない。また、刷版に誤ったバーコード等の識別符号が付されることに起因する誤装着の発生は無い。
【００４５】
(3)  各刷版装着位置に装着済みの刷版８によって印刷された紙面１５のページ番号は、新聞輪転機の運転開始後におけるクローリング速度（紙面が１秒間に約１ｍ走行）期間中に容易に読み取ることが可能であり、特殊なカメラは不要である。
【００４６】
(4)  印刷版胴１（又はこれと連動する軸）の回転角度位置を角度検出手段としてのエンコーダ７０により検出して（又は近接スイッチ９０で検出して）、識別制御部３０を介してカメラ１０のシャッター開閉を制御することで、紙面１５のページ番号がカメラ１０に対面したときの瞬時画像を前記カメラで読み取ることが可能である。
【００４７】
以上本発明の実施の形態について説明してきたが、本発明はこれに限定されることなく請求項の記載の範囲内において各種の変形、変更が可能なことは当業者には自明であろう。
【図面の簡単な説明】
【００４８】
【図１】本発明の実施の形態を示す構成図である。
【図２】本発明の実施の形態において、ページ番号読取カメラによる各新聞ページのページ番号読み取り動作を示す説明図である。
【図３】本発明の実施の形態において、刷版割付ページ番号表示器の配置を示す斜視図である。
【図４】本発明の実施の形態において、グラフィック・オペレーション・パネルで表示された刷版ページ割付画面の１例を示す説明図である。
【図５】本発明の実施の形態の場合の動作フローチャートである。
【図６】新聞輪転機が備える印刷ユニットの１例を示す概略構成図である。
【符号の説明】
【００４９】
１  印刷版胴
２  ブランケット胴
３  インキ着けローラー
４  水着けローラー
５  インキ循環装置
６  紙
８，８−１，８−２，８−３，８−４  刷版
１０，１０−１，１０−２，１０−３，１０−４  カメラ
１５  紙面
２０  画像処理部
３０  識別制御部
４０  グラフィック・オペレーション・パネル
５０  画像モニター
５１  バーコード・リーダー
６０  刷版割付ページ番号表示器
６５  フレーム
７０  エンコーダ
９０  近接スイッチ
【図１】
2008093929.tif 000003
【図２】
2008093929.tif 000004
【図３】
2008093929.tif 000005
【図４】
2008093929.tif 000006
【図５】
2008093929.tif 000007
【図６】
2008093929.tif 000008